(57)【要約】  本願の実施例は通信方法、端末装置及びネットワーク装置を提供する。該通信方法は、端末装置はターゲットサービスに対応する間欠受信（ＤＲＸ）パラメータを確定するステップと、端末装置はターゲットサービスに対応するＤＲＸパラメータに基づき間欠受信の方式でターゲットサービスを実行するステップと、を含む。本願の実施例によれば、ターゲットサービスに対応するＤＲＸパラメータを柔軟に確定することができる。
2020504947.tif 000002
【特許請求の範囲】
【請求項１】
通信方法であって、
端末装置はターゲットサービスに対応する間欠受信（ＤＲＸ）パラメータを確定するステップと、
前記端末装置は前記ターゲットサービスに対応するＤＲＸパラメータに基づき間欠受信の方式で前記ターゲットサービスを実行するステップと、を含むことを特徴とする方法。
【請求項２】
前記端末装置はネットワーク装置が送信する第１指示情報であって、前記ターゲットサービスに対応するＤＲＸパラメータを指示する第１指示情報を受信するステップをさらに含み、
前記端末装置がターゲットサービスに対応するＤＲＸパラメータを確定することは、
前記端末装置が前記第１指示情報に基づき前記ターゲットサービスに対応するＤＲＸパラメータを確定するステップを含むことを特徴とする請求項１に記載の方法。
【請求項３】
前記第１指示情報は、前記ターゲットサービスに対応するＤＲＸパラメータの事前設定された複数種のＤＲＸパラメータ中におけるインデックスを指示し、
前記端末装置が前記第１指示情報に基づき前記ターゲットサービスに対応するＤＲＸパラメータを確定することは、
前記端末は前記ターゲットサービスに対応するＤＲＸパラメータの前記事前設定された複数種のＤＲＸパラメータ中におけるインデックスに基づき、前記ターゲットサービスに対応するＤＲＸパラメータを確定するステップを含むことを特徴とする請求項２に記載の方法。
【請求項４】
前記第１指示情報は前記ターゲットサービスに対応するＤＲＸパラメータのパラメータ値を指示し、
前記端末装置が前記第１指示情報に基づき前記ターゲットサービスに対応するＤＲＸパラメータを確定することは、
前記端末装置が前記第１指示情報に基づき、前記ターゲットサービスに対応するＤＲＸパラメータのパラメータ値を確定するステップを含むことを特徴とする請求項２に記載の方法。
【請求項５】
前記端末装置がターゲットサービスに対応するＤＲＸパラメータを確定することは、
前記端末装置は前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するステップを含むことを特徴とする請求項１に記載の方法。
【請求項６】
前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するデータ無線ベアラＤＲＢのうちの少なくとも１種を含むことを特徴とする請求項５に記載の方法。
【請求項７】
前記端末装置は前記ネットワーク装置が送信する第２指示情報であって、前記ターゲットサービスのサービスタイプに用いられる第２指示情報を受信するステップをさらに含むことを特徴とする請求項５又は６に記載の方法。
【請求項８】
前記第２指示情報は、前記ターゲットサービスのサービスタイプの複数種のサービスタイプ中におけるインデックスを指示することを特徴とする請求項７に記載の方法。
【請求項９】
前記第１指示情報はダウンリンク制御情報ＤＣＩ又は媒体アクセス制御層制御要素ＭＡＣ  ＣＥに搬送されることを特徴とする請求項２−４のいずれか一項に記載の方法。
【請求項１０】
前記ＤＲＸパラメータはオンデュレーションタイマー、ＤＲＸインアクティビティタイマー、ＤＲＸ再送タイマー、ロングＤＲＸサイクルオフセット、ショートＤＲＸサイクル及びＤＲＸショートサイクルタイマーのうちの少なくとも１種を含むことを特徴とする請求項１−９のいずれか一項に記載の方法。
【請求項１１】
前記端末装置の実行可能な複数種のサービスに対応するＤＲＸパラメータに、少なくとも１種のパラメータ値が異なるパラメータは存在することを特徴とする請求項１−１０のいずれか一項に記載の方法。
【請求項１２】
通信方法であって、
ネットワーク装置は、前記端末装置が事前設定された複数種の間欠受信（ＤＲＸ）パラメータからターゲットサービスに対応するＤＲＸパラメータを確定するための第１指示情報を生成するステップと、
前記ネットワーク装置は前記端末装置に第１指示情報を送信するステップと、を含むことを特徴とする方法。
【請求項１３】
前記第１指示情報は、前記ターゲットサービスに対応するＤＲＸパラメータを指示することを特徴とする請求項１２に記載の方法。
【請求項１４】
前記第１指示情報は、前記ターゲットサービスに対応するＤＲＸパラメータの事前設定された複数種のＤＲＸパラメータ中におけるインデックスを指示することを特徴とする請求項１３に記載の方法。
【請求項１５】
前記第１指示情報は、前記ターゲットサービスに対応するＤＲＸパラメータのパラメータ値を指示することを特徴とする請求項１３に記載の方法。
【請求項１６】
前記第１指示情報は、前記ターゲットサービスに対応するサービスタイプを指示することを特徴とする請求項１２に記載の方法。
【請求項１７】
前記ネットワーク装置が第１指示情報を生成する前、
前記ネットワーク装置は前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するステップをさらに含むことを特徴とする請求項１２−１６のいずれか一項に記載の方法。
【請求項１８】
前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するデータ無線ベアラＤＲＢのうちの少なくとも１種を含むことを特徴とする請求項１７に記載の方法。
【請求項１９】
前記第１指示情報はダウンリンク制御情報ＤＣＩ又は媒体アクセス制御層制御要素ＭＡＣ  ＣＥに搬送されることを特徴とする請求項１２−１６のいずれか一項に記載の方法。
【請求項２０】
前記ネットワーク装置は前記端末装置に複数種のＤＲＸパラメータを設定するステップをさらに含むことを特徴とする請求項１２−１９のいずれか一項に記載の方法。
【請求項２１】
端末装置であって、
ターゲットサービスに対応する間欠受信（ＤＲＸ）パラメータを確定するように構成される確定モジュールと、
前記ターゲットサービスに対応するＤＲＸパラメータに基づき間欠受信の方式で前記ターゲットサービスを実行するように構成される実行モジュールと、を備えることを特徴とする端末装置。
【請求項２２】
ネットワーク装置が送信する第１指示情報であって、前記ターゲットサービスに対応するＤＲＸパラメータを指示する第１指示情報を受信するように構成される受信モジュールをさらに備え、
前記確定モジュールは、前記第１指示情報に基づき前記ターゲットサービスに対応するＤＲＸパラメータを確定するように構成されることを特徴とする請求項２１に記載の端末装置。
【請求項２３】
前記第１指示情報は、前記ターゲットサービスに対応するＤＲＸパラメータの事前設定された複数種のＤＲＸパラメータ中におけるインデックスを指示し、
前記確定モジュールは具体的には、前記ターゲットサービスに対応するＤＲＸパラメータの前記事前設定された複数種のＤＲＸパラメータ中におけるインデックスに基づき、前記ターゲットサービスに対応するＤＲＸパラメータを確定するように構成されることを特徴とする請求項２２に記載の端末装置。
【請求項２４】
前記第１指示情報は前記ターゲットサービスに対応するＤＲＸパラメータのパラメータ値を指示し、
前記確定モジュールは具体的には、前記第１指示情報に基づき、前記ターゲットサービスに対応するＤＲＸパラメータのパラメータ値を確定するように構成されることを特徴とする請求項２２に記載の端末装置。
【請求項２５】
前記確定モジュールは具体的には、前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するように構成されることを特徴とする請求項２１に記載の端末装置。
【請求項２６】
前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するデータ無線ベアラＤＲＢのうちの少なくとも１種を含むことを特徴とする請求項２５に記載の端末装置。
【請求項２７】
前記ネットワーク装置が送信する第２指示情報であって、前記ターゲットサービスのサービスタイプに用いられる第２指示情報を受信するように構成される受信モジュールをさらに備えることを特徴とする請求項２５又は２６に記載の端末装置。
【請求項２８】
前記第２指示情報は、前記ターゲットサービスのサービスタイプの複数種のサービスタイプ中におけるインデックスを指示することを特徴とする請求項２７に記載の端末装置。
【請求項２９】
前記第１指示情報はダウンリンク制御情報ＤＣＩ又は媒体アクセス制御層制御要素ＭＡＣ  ＣＥに搬送されることを特徴とする請求項２２−２４のいずれか一項に記載の端末装置。
【請求項３０】
前記ＤＲＸパラメータはオンデュレーションタイマー、ＤＲＸインアクティビティタイマー、ＤＲＸ再送タイマー、ロングＤＲＸサイクルオフセット、ショートＤＲＸサイクル及びＤＲＸショートサイクルタイマーのうちの少なくとも１種を含むことを特徴とする請求項２１−２９のいずれか一項に記載の端末装置。
【請求項３１】
前記端末装置の実行可能な複数種のサービスに対応するＤＲＸパラメータに、少なくとも１種のパラメータ値が異なるパラメータは存在することを特徴とする請求項２１−３０のいずれか一項に記載の端末装置。
【請求項３２】
ネットワーク装置であって、
前記端末装置が事前設定された複数種の間欠受信（ＤＲＸ）パラメータからターゲットサービスに対応するＤＲＸパラメータを確定するための第１指示情報を生成するように構成される生成モジュールと、
前記端末装置に第１指示情報を送信するように構成される送信モジュールと、を備えることを特徴とするネットワーク装置。
【請求項３３】
前記第１指示情報は、前記ターゲットサービスに対応するＤＲＸパラメータを指示することを特徴とする請求項３２に記載のネットワーク装置。
【請求項３４】
前記第１指示情報は、前記ターゲットサービスに対応するＤＲＸパラメータの事前設定された複数種のＤＲＸパラメータ中におけるインデックスを指示することを特徴とする請求項３３に記載のネットワーク装置。
【請求項３５】
前記第１指示情報は、前記ターゲットサービスに対応するＤＲＸパラメータのパラメータ値を指示することを特徴とする請求項３３に記載のネットワーク装置。
【請求項３６】
前記第１指示情報は、前記ターゲットサービスに対応するサービスタイプを指示することを特徴とする請求項３２に記載のネットワーク装置。
【請求項３７】
前記ネットワーク装置が第１指示情報を生成する前、前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するように構成される確定モジュールをさらに備えることを特徴とする請求項３２−３６のいずれか一項に記載のネットワーク装置。
【請求項３８】
前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するデータ無線ベアラＤＲＢのうちの少なくとも１種を含むことを特徴とする請求項３７に記載のネットワーク装置。
【請求項３９】
前記第１指示情報はダウンリンク制御情報ＤＣＩ又は媒体アクセス制御層制御要素ＭＡＣ  ＣＥに搬送されることを特徴とする請求項３２−３６のいずれか一項に記載のネットワーク装置。
【請求項４０】
前記端末装置に複数種のＤＲＸパラメータを設定するように構成される設定モジュールをさらに備えることを特徴とする請求項３２−３９のいずれか一項に記載のネットワーク装置。
【発明の詳細な説明】
【技術分野】
【０００１】
本願の実施例は通信分野に関し、より具体的には、通信方法、端末装置及びネットワーク装置に関する。
【背景技術】
【０００２】
移動通信技術の発展に伴って、第５世代移動通信技術（５Ｇ：ｆｉｆｔｈ  ｇｅｎｅｒａｔｉｏｎ）は現在研究されており、５Ｇ技術では、端末装置は間欠受信（ＤＲＸ：Ｄｉｓｃｏｎｔｉｎｕｏｕｓ  Ｒｅｃｅｐｔｉｏｎ）の方式でデータを受信して、端末装置の省電力化を図ることができる。間欠受信を行う前、ＤＲＸパラメータを確定する必要があり、５Ｇ技術ではＤＲＸパラメータを如何に確定するかは研究する必要がある課題となる。
【発明の概要】
【発明が解決しようとする課題】
【０００３】
本願の実施例は、ターゲットサービスに対応するＤＲＸパラメータを確定するために、通信方法、端末装置及びネットワーク装置を提供する。
【課題を解決するための手段】
【０００４】
第１態様によれば、通信方法を提供し、端末装置はターゲットサービスに対応する間欠受信（ＤＲＸ）パラメータを確定するステップと、前記端末装置は前記ターゲットサービスに対応するＤＲＸパラメータに基づき間欠受信の方式で前記ターゲットサービスを実行するステップと、を含む。
【０００５】
従来技術では、無線リソース制御ＲＲＣ層によって各々の端末装置（媒体アクセス制御ＭＡＣエンティティ）に１種のＤＲＸパラメータを設定し、すなわち、端末装置の異なるサービスが同一セットのＤＲＸパラメータに対応するが、異なるサービスタイプの伝送ニーズが異なり、同一セットのＤＲＸパラメータを適用できない可能性がある。本願では、ＤＲＸパラメータの確定方式がさらに柔軟になり、たとえば、異なるサービスタイプに応じて、サービスに対応するＤＲＸパラメータを確定することができる。
【０００６】
第１態様において、第１態様のいくつかの実施形態では、前記方法は、前記端末装置はネットワーク装置が送信する第１指示情報であって、前記ターゲットサービスに対応するＤＲＸパラメータを指示する第１指示情報を受信するステップをさらに含み、前記端末装置がターゲットサービスに対応するＤＲＸパラメータを確定することは、前記端末装置が前記第１指示情報に基づき前記ターゲットサービスに対応するＤＲＸパラメータを確定するステップを含む。
【０００７】
端末装置は第１指示情報によって直接ターゲットサービスに対応するＤＲＸパラメータを確定できることで、端末装置によるＤＲＸパラメータの確定プロセス簡素化することができる。
【０００８】
第１態様において、第１態様のいくつかの実施形態では、前記第１指示情報は、前記ターゲットサービスに対応するＤＲＸパラメータの事前設定された複数種のＤＲＸパラメータ中におけるインデックスを指示し、前記端末装置が前記第１指示情報に基づき前記ターゲットサービスに対応するＤＲＸパラメータを確定することは、前記端末が前記ターゲットサービスに対応するＤＲＸパラメータの前記事前設定された複数種のＤＲＸパラメータ中におけるインデックスに基づき、前記ターゲットサービスに対応するＤＲＸパラメータを確定するステップを含む。
【０００９】
なお、上記事前設定とは、ＲＲＣ層によって端末装置に複数のセットのＤＲＸパラメータを設定することであってもよく、異なるセットのＤＲＸパラメータは異なるインデックス又はサービスに対応する。
【００１０】
第１指示情報はインデックスの方式でＤＲＸパラメータを指示する場合、小さなビットのみでターゲットサービスに対応するＤＲＸパラメータを指示することができ、ＤＲＸパラメータへの指示を実現するだけでなく、シグナリングオーバーヘッドをある程度節約することができる。
【００１１】
第１態様において、第１態様のいくつかの実施形態では、前記第１指示情報は前記ターゲットサービスに対応するＤＲＸパラメータのパラメータ値を指示し、前記端末装置が前記第１指示情報に基づき前記ターゲットサービスに対応するＤＲＸパラメータを確定することは、前記端末装置が前記第１指示情報に基づき、前記ターゲットサービスに対応するＤＲＸパラメータのパラメータ値を確定するステップを含む。
【００１２】
第１指示情報は直接ＤＲＸパラメータのパラメータ値を指示する場合、端末装置は直接該第１指示情報に基づき、ターゲットサービスに対応するＤＲＸパラメータのパラメータ値を迅速に確定し、ＤＲＸインデックスを指示する方式に比べて、ターゲットサービスに対応するＤＲＸパラメータのパラメータ値を速く確定することができる。
【００１３】
第１態様において、第１態様のいくつかの実施形態では、前記端末装置がターゲットサービスに対応するＤＲＸパラメータを確定することは、前記端末装置は前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するステップを含む。
【００１４】
端末装置はターゲットサービスのサービスタイプ、及びサービスタイプとＤＲＸパラメータとの対応関係に基づき前記ターゲットサービスに対応するＤＲＸパラメータを確定し、ネットワーク装置が送信する第１指示情報によってターゲットサービスに対応するＤＲＸパラメータを確定する方式に比べて、ターゲットサービスに対応するＤＲＸパラメータをより柔軟に確定する。
【００１５】
第１態様において、第１態様のいくつかの実施形態では、前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するデータ無線ベアラＤＲＢのうちの少なくとも１種を含む。
【００１６】
第１態様において、第１態様のいくつかの実施形態では、前記方法は、前記端末装置は前記ネットワーク装置が送信する第２指示情報であって、前記ターゲットサービスのサービスタイプに用いられる第２指示情報を受信するステップをさらに含む。
【００１７】
第１態様において、第１態様のいくつかの実施形態では、前記第２指示情報は、前記ターゲットサービスのサービスタイプの複数種のサービスタイプ中におけるインデックスを指示する。
【００１８】
第１態様において、第１態様のいくつかの実施形態では、前記第１指示情報はダウンリンク制御情報ＤＣＩ又は媒体アクセス制御層制御要素ＭＡＣ  ＣＥに搬送される。
【００１９】
第１指示情報がＤＣＩ又はＭＡＣ  ＣＥに搬送される場合、第１指示情報によって、ターゲットサービスに対応するＤＲＸパラメータを確定することを動的に指示できる。
【００２０】
第１態様において、第１態様のいくつかの実施形態では、前記ＤＲＸパラメータはオンデュレーションタイマー、ＤＲＸインアクティビティタイマー、ＤＲＸ再送タイマー、ロングＤＲＸサイクルオフセット、ショートＤＲＸサイクル及びＤＲＸショートサイクルタイマーのうちの少なくとも１種を含む。すなわち、異なるサービスに対応するＤＲＸパラメータは上記パラメータのうちの少なくとも１種を含んでもよい。
【００２１】
第１態様において、第１態様のいくつかの実施形態では、前記端末装置の実行可能な複数種のサービスに対応するＤＲＸパラメータに、少なくとも１種のパラメータ値が異なるパラメータは存在する。
【００２２】
第２態様によれば、通信方法を提供し、ネットワーク装置は前記端末装置が事前設定された複数種の間欠受信（ＤＲＸ）パラメータからターゲットサービスに対応するＤＲＸパラメータを確定するための第１指示情報を生成するステップと、前記ネットワーク装置は前記端末装置に第１指示情報を送信するステップと、を含む。
【００２３】
従来技術では、ＲＲＣ層によって各々の端末装置（ＭＡＣエンティティ）に１種のＤＲＸパラメータを設定し、すなわち、端末装置の異なるサービスが同一セットのＤＲＸパラメータに対応するが、異なるサービスタイプの伝送ニーズが異なり、同一セットのＤＲＸパラメータを適用できない可能性がある。本願では、ＤＲＸパラメータの確定方式がさらに柔軟になり、たとえば、異なるサービスタイプに応じて、サービスに対応するＤＲＸパラメータを確定することができる。
【００２４】
第２態様において、第２態様のいくつかの実施形態では、前記第１指示情報は、前記ターゲットサービスに対応するＤＲＸパラメータを指示する。
【００２５】
第２態様において、第２態様のいくつかの実施形態では、前記第１指示情報は、前記ターゲットサービスに対応するＤＲＸパラメータの事前設定された複数種のＤＲＸパラメータ中におけるインデックスを指示する。
【００２６】
第２態様において、第２態様のいくつかの実施形態では、前記第１指示情報は、前記ターゲットサービスに対応するＤＲＸパラメータのパラメータ値を指示する。
【００２７】
第２態様において、第２態様のいくつかの実施形態では、前記第１指示情報は、前記ターゲットサービスに対応するサービスタイプを指示する。
【００２８】
第２態様において、第２態様のいくつかの実施形態では、前記ネットワーク装置が第１指示情報を生成する前、前記方法は、前記ネットワーク装置は前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するステップをさらに含む。
【００２９】
第２態様において、第２態様のいくつかの実施形態では、前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するデータ無線ベアラＤＲＢのうちの少なくとも１種を含む。
【００３０】
第２態様において、第２態様のいくつかの実施形態では、前記第１指示情報はＤＣＩ又はＭＡＣ  ＣＥに搬送される。
【００３１】
第２態様において、第２態様のいくつかの実施形態では、前記方法は、前記ネットワーク装置が前記端末装置に複数種のＤＲＸパラメータを設定するステップをさらに含む。
【００３２】
第３態様によれば、端末装置を提供し、第１態様又はその各種の実施形態に記載の方法を実行するモジュールを備える。
【００３３】
第４態様によれば、ネットワーク装置を提供し、第２態様又はその各種の実施形態に記載の方法を実行するモジュールを備える。
【００３４】
第５態様によれば、端末装置を提供し、プロセッサ及び送受信機を備え、前記プロセッサは前記送受信機に基づき第１態様又はその各種の実施形態に記載の方法を実行する。
【００３５】
第６態様によれば、ネットワーク装置を提供し、プロセッサ及び送受信機を備え、前記プロセッサは前記送受信機に基づき第２態様又はその各種の実施形態に記載の方法を実行する。
【００３６】
第７態様によれば、コンピュータ可読媒体を提供し、端末装置により実行されるプログラムコードが記憶され、前記プログラムコードは第１態様又はその各種の実施形態に記載の方法を実行するための命令を含む。
【００３７】
第８態様によれば、コンピュータ可読媒体を提供し、ネットワーク装置により実行されるプログラムコードが記憶され、前記プログラムコードは第２態様又はその各種の実施形態に記載の方法を実行するための命令を含む。
【００３８】
第９態様によれば、システムチップを提供し、入力インタフェース、出力インタフェース、プロセッサ及びメモリを備え、該プロセッサは該メモリにおけるコードを実行し、該コードが実行されると、該プロセッサは前記第１態様及び各種の実施形態に記載の方法を実現することができる。
【００３９】
第１０態様によれば、システムチップを提供し、入力インタフェース、出力インタフェース、プロセッサ及びメモリを備え、該プロセッサは該メモリにおけるコードを実行し、該コードが実行されると、該プロセッサは前記第２態様及び各種の実施形態に記載の方法を実現することができる。
【図面の簡単な説明】
【００４０】
【図１】図１は本願の実施例に係る通信システムの概略図である。
【図２】図２は本願の実施例に係る通信方法の概略フローチャートである。
【図３】図３はＤＲＸサイクルの概略図である。
【図４】図４はデータ再送の概略フローチャートである。
【図５】図５は本願の実施例に係る通信方法の概略フローチャートである。
【図６】図６は本願の実施例に係る端末装置の概略ブロック図である。
【図７】図７は本願の実施例に係るネットワーク装置の概略ブロック図である。
【図８】図８は本願の実施例に係る端末装置の概略ブロック図である。
【図９】図９は本願の実施例に係るネットワーク装置の概略ブロック図である。
【図１０】図１０は本願の実施例に係るシステムチップの概略ブロック図である。
【発明を実施するための形態】
【００４１】
以下、本願の実施例の図面を参照して本願の実施例の技術案を説明する。
【００４２】
本願の実施例に係る技術案は、たとえば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ：「ＧＳＭ」と略称）、符号分割多元接続（Ｃｏｄｅ  Ｄｉｖｉｓｉｏｎ  Ｍｕｌｔｉｐｌｅ  Ａｃｃｅｓｓ：「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、ロングタームエボリューション（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステム等の各種の通信システムに適用できる。
【００４３】
図１は本願の実施例を適用した無線通信システム１００を示す。該無線通信システム１００はネットワーク装置１１０を備える。ネットワーク装置１００は端末装置と通信する装置であってもよい。ネットワーク装置１００は特定の地理的区域に通信カバレッジを提供し、且つ該カバレッジエリア内に位置する端末装置（たとえばＵＥ）と通信可能である。好ましくは、該ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）、又はクラウド無線アクセスネットワーク（ＣＲＡＮ：Ｃｌｏｕｄ  ＲａｄｉｏＡｃｃｅｓｓ  Ｎｅｔｗｏｒｋ）における無線コントローラであってもよく、又は該ネットワーク装置は中継局、アクセスポイント、車載装置、ウェアラブル装置、将来の５Ｇネットワークにおけるネットワーク側装置又は将来の発展型地上波公共移動通信ネットワーク（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【００４４】
該無線通信システム１００はネットワーク装置１１０のカバレッジエリア内に位置する少なくとも１つの端末装置１２０をさらに備える。端末装置１２０は移動式でも固定式でもよい。好ましくは、端末装置１２０はアクセス端末、ユーザー装置（ＵＥ：Ｕｓｅｒ  Ｅｑｕｉｐｍｅｎｔ）、ユーザーユニット、ユーザー局、移動局、移動ステーション、遠隔局、遠隔端末、移動装置、ユーザー端末、端末、無線通信装置、ユーザーエージェント又はユーザー装置であってもよい。アクセス端末はセルラーホン、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有するハンドヘルドデバイス、コンピューティング装置又は無線モデムに接続されるほかの処理装置、車載装置、ウェアラブル装置、将来の５Ｇネットワークの端末装置又は将来の発展型ＰＬＭＮの端末装置等であってもよい。
【００４５】
好ましくは、５Ｇシステム又はネットワークは新無線（ＮＲ：Ｎｅｗ  Ｒａｄｉｏ）システム又はネットワークとも呼ばれる。
【００４６】
なお、図１は１つのネットワーク装置及び２つの端末装置を例示するが、好ましくは、該無線通信システム１００は複数のネットワーク装置を備え、且つ各ネットワーク装置のカバレッジエリア内にほかの数の端末装置を備えてもよく、本願の実施例ではそれを限定しない。
【００４７】
従来技術では、無線リソース制御（ＲＲＣ：Ｒａｄｉｏ  Ｒｅｓｏｕｒｃｅ  Ｃｏｎｔｒｏｌ）層によって各々の端末装置に１セットのＤＲＸパラメータを設定し、すなわち端末装置の複数種のサービスは同一セットのＤＲＸパラメータに対応する。しかし、端末装置の異なるサービスの要求が異なり、たとえば、周期が長い周期的なサービスの場合、スリープ時間を長く設定する必要がある一方、リアルタイム性が高いサービスの場合、スリープ時間を短く設定する必要があり、この時、明らかなように、同一セットのＤＲＸパラメータを採用することは各種の異なるタイプのサービスを実行することに不利である。従って、本願の実施例は通信方法を提供し、該方法では、端末装置のサービスに応じたＤＲＸパラメータを直接確定でき、従来技術に比べて、柔軟性が高くなり、以下、図２及び図３を参照して本願の実施例に係る通信方法を詳細に説明する。
【００４８】
図２は本願の実施例に係る通信方法の概略フローチャートである。図２の方法は、ステップ２１０〜２２０を含む。
【００４９】
２１０において、端末装置はターゲットサービスに対応するＤＲＸパラメータを確定する。
【００５０】
上記ターゲットサービスは端末装置が実行しようとするサービスであってもよく、たとえば、該ターゲットサービスは端末装置がネットワーク装置からダウンリンクデータを受信することである。
【００５１】
また、異なるターゲットサービスは同一ＤＲＸパラメータに対応してもよく、異なるＤＲＸパラメータに対応してもよい。たとえば、２種のサービスに求められるデータ伝送遅延の差分が非常に小さい場合、これら２種のサービスは同一のＤＲＸパラメータに対応してもよく、これらの２種サービスに求められるデータ伝送遅延の差分が大きい場合、これら２種サービスはそれぞれ異なるＤＲＸパラメータに対応してもよい。
【００５２】
好ましくは、上記ターゲットサービスのサービスタイプ情報は、ターゲットサービスのデータに対応するロジックチャネル識別子（ＬＣＩＤ：Ｌｏｇｉｃａｌ  Ｃｈａｎｎｅｌ  Ｉｄｅｎｔｉｆｉｅｒ）又はロジックチャネルグループ識別子、該ターゲットサービスのデータのサービス品質フロー識別子（ＱｏＳ−Ｆｌｏｗ−ＩＤ：Ｑｕａｌｉｔｙ  ｏｆ  Ｓｅｒｖｉｃｅ  Ｆｌｏｗ  Ｉｄｅｎｔｉｆｉｅｒ）、及び前記ターゲットサービスのデータを搬送するデータ無線ベアラ（ＤＲＢ：Ｄａｔａ  Ｒａｄｉｏ  Ｂｅａｒｅｒ）のうちの少なくとも１種を含む。
【００５３】
好ましくは、図３の方法は、端末装置は、ネットワーク装置が送信する第１指示情報であって、前記ターゲットサービスに対応するＤＲＸパラメータを指示する第１指示情報を受信するステップをさらに含む。第１指示情報を受信すると、端末装置は直接第１指示情報に基づき、ターゲットサービスに対応するＤＲＸパラメータを確定でき、端末装置によるＤＲＸパラメータの確定プロセスを簡素化する。
【００５４】
第１指示情報がＤＲＸパラメータを指示する際に、様々な実施形態があり、好ましくは、上記第１指示情報は直接ターゲットサービスに対応するＤＲＸパラメータの事前設定された複数種のＤＲＸパラメータ中におけるインデックスを指示する。このように、端末装置は第１指示情報を受信すると、第１指示情報に基づきターゲットサービスに対応するＤＲＸパラメータの事前設定された複数種のＤＲＸパラメータ中におけるインデックスを確定し、次に該インデックスに基づき、事前記憶された複数種ＤＲＸパラメータからターゲットサービスに対応するＤＲＸパラメータを確定する。
【００５５】
第１指示情報はインデックスの方式でＤＲＸパラメータを指示する場合、小さなビットのみを使用すれば、ターゲットサービスに対応するＤＲＸパラメータを指示することができ、ＤＲＸパラメータへの指示を実現するだけでなく、シグナリングオーバーヘッドをある程度節約することができる。
【００５６】
たとえば、端末装置は１０種のＤＲＸパラメータを事前設定し、第１指示情報によりターゲットサービスに対応するＤＲＸパラメータの事前設定された１０種のＤＲＸパラメータ中におけるインデックス番号が５であると指示される場合、端末装置は第１指示情報を受信すると、事前設定された１０種のパラメータのうちインデックス番号が５であるＤＲＸパラメータをターゲットサービスに対応するＤＲＸパラメータとして確定する。
【００５７】
好ましくは、上記第１指示情報はＤＲＸパラメータのインデックスを指示する以外、直接ターゲットサービスに対応するＤＲＸパラメータのパラメータ値を指示してもよい。このように、端末装置は第１指示情報を受信すると、直接ターゲットサービスに対応するＤＲＸパラメータのパラメータ値を確定でき、この時、端末装置は第１指示情報によって直接ターゲットサービスに対応するＤＲＸパラメータのパラメータ値を確定できるため、複数種のＤＲＸパラメータを事前設定する必要がなく、ＤＲＸインデックスを指示する方式に比べて、ターゲットサービスに対応するＤＲＸパラメータのパラメータ値をより速く確定することができる。
【００５８】
好ましくは、上記第１指示情報はダウンリンク制御情報（ＤＣＩ：Ｄｉｇｉｔａｌ  Ｃｏｐｙｒｉｇｈｔ  Ｉｄｅｎｔｉｆｉｅｒ）又は媒体アクセス制御層制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）に搬送される。第１指示情報がＤＣＩ又はＭＡＣ  ＣＥに搬送される場合、第１指示情報によって、ターゲットサービスに対応するＤＲＸパラメータを確定することを動的に指示できる。
【００５９】
好ましくは、端末装置はネットワーク装置の指示に基づき、ターゲットサービスに対応するＤＲＸパラメータを確定する以外、直接ターゲットサービスのサービスタイプ、及びサービスタイプとＤＲＸパラメータとの対応関係に基づき、事前設定された複数種のＤＲＸパラメータから、ターゲットサービスに対応するＤＲＸパラメータを確定するようにしてもよい。事前設定された複数種のＤＲＸパラメータは事前に設定シグナリングによって端末装置にネットワーク装置によって設定されたものである。
【００６０】
具体的には、ターゲットサービスのデータに対応するロジックチャネル（又はロジックチャネルグループ）、ターゲットサービスのデータのサービス品質フロー識別子及びターゲットサービスのデータを搬送するＤＲＢという３種の情報はともにＤＲＸと一定の対応関係を有してもよく、すなわち、同一のＤＲＸパラメータは上記３種の情報に同時に対応してもよく、具体的には、１つのＤＲＸパラメータは１つのロジックチャネル（ロジックチャネルグループ）識別子、１つのサービス品質フロー識別子及び１つのＤＲＢに対応する。端末装置はＤＲＸパラメータを確定する時、上記３種の情報のうちのいずれかの情報とＤＲＸパラメータとの対応関係を用いて、ターゲットサービスに対応するＤＲＸパラメータを確定することができる。
【００６１】
たとえば、第１ロジックチャネルのデータが第１セットのＤＲＸパラメータに対応し、第２ロジックチャネルのデータが第２セットのＤＲＸパラメータに対応し、第３ロジックチャネルのデータが第３セットのＤＲＸパラメータに対応する場合、ターゲットサービスのデータが第１ロジックチャネルに属すると、該ターゲットサービスに対応するＤＲＸパラメータは第１セットのＤＲＸパラメータである。
【００６２】
また、ターゲットサービスが音声サービスである場合、音声パケットの周期性のため、端末装置は省電力効果を達成するように、スリープ期間に迅速に入ることができ、この時、端末装置はターゲットサービスに対応するＤＲＸパラメータを確定する時、ショートＤＲＸインアクティビティタイマー（ＤＲＸ  ｉｎａｃｔｉｖｉｔｙ  ｔｉｍｅｒ）を有するＤＲＸパラメータを、該ターゲットサービスに対応するＤＲＸパラメータとして確定することができ、それにより端末装置は間欠受信の方式でデータを受信する時にスリープ期間に迅速に入ることができる。
【００６３】
ターゲットサービスがダウンロードサービスである場合、基地局は端末装置を所定時間連続的にスケジューリングし、この時、ロングＤＲＸインアクティビティタイマーは端末装置からのより迅速なレスポンスに有利である。従って、端末装置はロングＤＲＸインアクティビティタイマー（ＤＲＸ  ｉｎａｃｔｉｖｉｔｙ  ｔｉｍｅｒ）を有するＤＲＸパラメータを該ターゲットサービスに対応するＤＲＸパラメータとして確定することができる。
【００６４】
異なるサービスタイプのニーズが異なるため、異なるサービスに異なるＤＲＸパラメータを設定する必要があり、且つサービスタイプに応じてＤＲＸパラメータを確定することで、ユーザーエクスペリエンスを向上させ、ＱｏＳを確保することができる。
【００６５】
好ましくは、ターゲットサービスのサービスタイプは端末装置によってネットワーク装置から受信される第２指示情報によって取得され、この時、第２指示情報はターゲットサービスのサービスタイプを指示する。また、該第２指示情報は具体的にはインデックス情報であり、該第２指示情報は具体的にはターゲットサービスのサービスタイプの複数種のサービスタイプにおけるインデックス情報を指示してもよい。具体的には、計１０種のサービスタイプがある場合、これら１０種のサービスタイプがそれぞれインデックス番号１〜１０に対応し、この時、第２指示情報はサービスタイプを指示すると、ターゲットサービスのサービスタイプのこれら１０種のサービスタイプ中におけるインデックス番号を直接指示できる。
【００６６】
２２０において、前記端末装置は前記ターゲットサービスに対応するＤＲＸパラメータに基づき間欠受信の方式で前記ターゲットサービスを実行する。
【００６７】
従来技術では、無線リソース制御ＲＲＣ層によって各々の端末装置（媒体アクセス制御ＭＡＣエンティティ）に１種のＤＲＸパラメータを設定し、すなわち、端末装置の異なるサービスが同一セットのＤＲＸパラメータに対応するが、異なるサービスタイプの伝送ニーズが異なり、同一セットのＤＲＸパラメータを適用できない可能性がある。本願では、ＤＲＸパラメータの確定方式がさらに柔軟になり、たとえば、異なるサービスタイプに応じて、サービスに対応するＤＲＸパラメータを確定することができる。
【００６８】
好ましくは、上記ＤＲＸパラメータは、オンデュレーションタイマー（ｏｎ  Ｄｕｒａｔｉｏｎ  Ｔｉｍｅｒ）、ＤＲＸインアクティビティタイマー（ＤＲＸ−Ｉｎａｃｔｉｖｉｔｙ  Ｔｉｍｅｒ）、ＤＲＸ再送タイマー（ＤＲＸ−Ｒｅｔｒａｎｓｍｉｓｓｉｏｎ  Ｔｉｍｅｒ）、ロングＤＲＸサイクルオフセット（ｌｏｎｇ  ＤＲＸ−Ｃｙｃｌｅ  Ｓｔａｒｔ  Ｏｆｆｓｅｔ）、ショートＤＲＸサイクル（ｓｈｏｒｔ  ＤＲＸ−Ｃｙｃｌｅ）及びＤＲＸショートサイクルタイマー（ＤＲＸ−Ｓｈｏｒｔ  Ｃｙｃｌｅ  Ｔｉｍｅｒ）のうちの少なくとも１種を含む。なお、異なるサービスに対応するＤＲＸパラメータに含まれるパラメータのタイプは異なる可能性があり、たとえば、要求の低いサービスに対応するＤＲＸパラメータは上記パラメータのうちの１種のみを含む一方、要求の高いサービスに対応するＤＲＸパラメータは上記パラメータのうちの少なくとも２種を含む。
【００６９】
以下、図３及び図４を参照してＤＲＸパラメータを説明する。
【００７０】
図３に示すように、１つの完全なＤＲＸサイクルはアクティベーション期間及びスリープ期間からなり、ｏｎ  Ｄｕｒａｔｉｏｎ  Ｔｉｍｅｒは各ＤＲＸサイクル内に端末装置が監視する必要がある物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）のサブフレームの数であり、ｏｎ  Ｄｕｒａｔｉｏｎ  Ｔｉｍｅｒの時間を超えると、端末装置はその受信機をオフにしてスリープ状態を開始する。
【００７１】
ＤＲＸ−Ｉｎａｃｔｉｖｉｔｙ  Ｔｉｍｅｒは端末装置がアップリンク又はダウンリンク初期伝送を指示するＰＤＣＣＨの復号に成功した後に連続的に監視する非アクティブＰＤＣＣＨのサブフレームの数であり、この時間内に、端末装置は関連ＰＤＣＣＨを監視しなくなると、ＤＲＸ状態を開始する。
【００７２】
図４はデータ再送のプロセスを示す。該プロセスはステップ４１０〜４３０を含む。
【００７３】
４１０において、端末装置はデータを受信する。
【００７４】
端末装置はデータを受信した後にデータ復号が失敗すると、ハイブリッド自動再送要求往復時間タイマー（ＨＡＲＱ  ＲＴＴ  Ｔｉｍｅｒ：Ｈｙｂｒｉｄ  Ａｕｔｏ  Ｒｅｐｅａｔ  Ｒｅｑｕｅｓｔ  Ｒｏｕｎｄ  Ｔｒｉｐ  Ｔｉｍｅ  Ｔｉｍｅｒ）を開始する。
【００７５】
４２０において、端末装置は基地局にＮＡＣＫ情報をフィードバックする。
【００７６】
４３０において、端末装置はＤＲＸ−Ｒｅｔｒａｎｓｍｉｓｓｉｏｎ  Ｔｉｍｅｒを開始して、基地局が再送するデータを受信する。
【００７７】
ＨＡＲＱ  ＲＴＴ  Ｔｉｍｅｒは端末装置がダウンリンクデータ再送を待つ前に必要な最少のサブフレーム数である。ＤＲＸ−Ｒｅｔｒａｎｓｍｉｓｓｉｏｎ  ＴｉｍｅｒとはＵＥがＨＡＲＱ再送を待つ時、監視する必要がある最大のＰＤＣＣＨのサブフレーム数である。
【００７８】
以上、図２〜図４を参照して端末装置側から本願の実施例に係る通信方法を詳細に説明したが、以下、図５を参照してネットワーク装置側から本願の実施例に係る通信方法を詳細に説明し、なお、図５に示される通信方法は図２〜図４に示される通信方法に対応し、簡潔にするために、重複説明を適宜省略する。
【００７９】
図５は本願の実施例に係る通信方法の概略フローチャートである。図５の方法は、ステップ５１０〜５２０を含む。
【００８０】
５１０において、ネットワーク装置は、前記端末装置が事前設定された複数種のＤＲＸパラメータから、ターゲットサービスに対応するＤＲＸパラメータを確定するための第１指示情報を生成する。
【００８１】
５２０において、前記ネットワーク装置は、前記端末装置に第１指示情報を送信する。
【００８２】
従来技術では、端末装置は１セットのＤＲＸパラメータのみに対応し、すなわち、端末装置の異なるサービスは同一セットのＤＲＸパラメータに対応するが、異なるサービスタイプの伝送ニーズが異なり、同一セットのＤＲＸパラメータを適用できない可能性があり、本願では、各サービスに対応するＤＲＸパラメータを確定でき、従来技術に比べて柔軟性がさらに高い。
【００８３】
好ましくは、上記第１指示情報は前記ターゲットサービスに対応するＤＲＸパラメータを指示する。
【００８４】
具体的には、上記第１指示情報は具体的には、ターゲットサービスに対応するＤＲＸパラメータの事前設定された複数種のＤＲＸパラメータ中におけるインデックスを指示してもよい。
【００８５】
上記第１指示情報はさらに具体的には、ターゲットサービスに対応するＤＲＸパラメータのパラメータ値を指示してもよい。
【００８６】
好ましくは、上記第１指示情報はターゲットサービスに対応するサービスタイプを指示してもよい。
【００８７】
好ましくは、ネットワーク装置が第１指示情報を生成する前、図３の方法は、ネットワーク装置はターゲットサービスのサービスタイプ、及びサービスタイプとＤＲＸパラメータとの間の対応関係に基づき、事前設定された複数種のＤＲＸパラメータから、ターゲットサービスに対応するＤＲＸパラメータを確定するステップをさらに含む。
【００８８】
好ましくは、ターゲットサービスのサービスタイプ情報は、ターゲットサービスのデータに対応するロジックチャネル識別子又はロジックチャネルグループ識別子、ターゲットサービスのデータのサービス品質フロー識別子、及びターゲットサービスのデータを搬送するＤＲＢのうちの少なくとも１種を含む。
【００８９】
好ましくは、上記第１指示情報はダウンリンク制御情報ＤＣＩ又は媒体アクセス制御層制御要素ＭＡＣ  ＣＥに搬送される。
【００９０】
好ましくは、図５の方法は、ネットワーク装置が端末装置に複数種のＤＲＸパラメータを設定するステップをさらに含む。
【００９１】
以上、図２−５を参照して本願の実施例に係る通信方法を詳細に説明したが、以下、図６−９を参照して本願の実施例に係る端末装置及びネットワーク装置を説明する。なお、図６−９に説明された端末装置及びネットワーク装置は図２−５に説明された通信方法の各ステップを実現でき、簡潔にするために、重複説明を適宜省略する。
【００９２】
図６は本願の実施例に係る端末装置の概略ブロック図である。図６中の端末装置６００は、
ターゲットサービスに対応する間欠受信（ＤＲＸ）パラメータを確定するように構成される確定モジュール６１０と、
前記ターゲットサービスに対応するＤＲＸパラメータに基づき間欠受信の方式で前記ターゲットサービスを実行するように構成される実行モジュール６２０と、を備える。
【００９３】
好ましくは、一実施例として、前記端末装置６００は、ネットワーク装置が送信する第１指示情報であって、前記ターゲットサービスに対応するＤＲＸパラメータを指示する第１指示情報を受信するように構成される受信モジュール６３０をさらに備える。
【００９４】
前記確定モジュール６１０は具体的には、前記第１指示情報に基づき前記ターゲットサービスに対応するＤＲＸパラメータを確定するように構成される。
【００９５】
好ましくは、一実施例として、前記第１指示情報は、前記ターゲットサービスに対応するＤＲＸパラメータの事前設定された複数種のＤＲＸパラメータ中におけるインデックスを指示し、
前記確定モジュール６１０は具体的には、前記ターゲットサービスに対応するＤＲＸパラメータの前記事前設定された複数種のＤＲＸパラメータ中におけるインデックスに基づき、前記ターゲットサービスに対応するＤＲＸパラメータを確定するように構成される。
【００９６】
好ましくは、一実施例として、前記第１指示情報は前記ターゲットサービスに対応するＤＲＸパラメータのパラメータ値を指示し、
前記確定モジュール６１０は具体的には、前記第１指示情報に基づき、前記ターゲットサービスに対応するＤＲＸパラメータのパラメータ値を確定するように構成される。
【００９７】
好ましくは、一実施例として、前記確定モジュール６１０は具体的には、前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するように構成される。
【００９８】
好ましくは、一実施例として、前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するＤＲＢのうちの少なくとも１種を含む。
【００９９】
好ましくは、一実施例として、前記端末装置は、
前記ネットワーク装置が送信する第２指示情報であって、前記ターゲットサービスのサービスタイプに用いられる第２指示情報を受信するように構成される受信モジュール６３０をさらに備える。
【０１００】
好ましくは、一実施例として、前記第２指示情報は、前記ターゲットサービスのサービスタイプの複数種のサービスタイプ中におけるインデックスを指示する。
【０１０１】
好ましくは、一実施例として、前記第１指示情報はＤＣＩ又はＭＡＣ  ＣＥに搬送される。
【０１０２】
好ましくは、一実施例として、前記ＤＲＸパラメータはオンデュレーションタイマー及びＤＲＸインアクティビティタイマーを含む。
【０１０３】
好ましくは、一実施例として、前記ＤＲＸパラメータはＤＲＸ再送タイマー、ロングＤＲＸサイクルオフセット、ショートＤＲＸサイクル及びＤＲＸショートサイクルタイマーのうちの少なくとも１種をさらに含む。
【０１０４】
好ましくは、一実施例として、前記端末装置の実行可能な複数種のサービスに対応するＤＲＸパラメータに、少なくとも１種のパラメータ値が異なるパラメータは存在する。
【０１０５】
図７は本願の実施例に係るネットワーク装置の概略ブロック図である。図７中のネットワーク装置７００は、
前記端末装置が事前設定された複数種の間欠受信（ＤＲＸ）パラメータからターゲットサービスに対応するＤＲＸパラメータを確定するための第１指示情報を生成するように構成される生成モジュール７１０と、
前記端末装置に第１指示情報を送信するように構成される送信モジュール７２０と、を備える。
【０１０６】
好ましくは、一実施例として、前記第１指示情報は、前記ターゲットサービスに対応するＤＲＸパラメータを指示する。
【０１０７】
好ましくは、一実施例として、前記第１指示情報は、前記ターゲットサービスに対応するＤＲＸパラメータの事前設定された複数種のＤＲＸパラメータ中におけるインデックスを指示する。
【０１０８】
好ましくは、一実施例として、前記第１指示情報は、前記ターゲットサービスに対応するＤＲＸパラメータのパラメータ値を指示する。
【０１０９】
好ましくは、一実施例として、前記第１指示情報は、前記ターゲットサービスに対応するサービスタイプを指示する。
【０１１０】
好ましくは、一実施例として、前記ネットワーク装置が第１指示情報を生成する前、前記ネットワーク装置は、
前記ネットワーク装置が第１指示情報を生成する前、前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するように構成される確定モジュール７３０をさらに備える。
【０１１１】
好ましくは、一実施例として、前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するＤＲＢのうちの少なくとも１種を含む。
【０１１２】
好ましくは、一実施例として、前記第１指示情報はＤＣＩ又はＭＡＣ  ＣＥに搬送される。
【０１１３】
好ましくは、一実施例として、前記ネットワーク装置は、
前記端末装置に複数種のＤＲＸパラメータを設定するように構成される設定モジュール７４０をさらに備える。
【０１１４】
図８は本願の実施例に係る端末装置の概略ブロック図である。図８の端末装置８００は、
ターゲットサービスに対応するＤＲＸパラメータを確定するように構成されるプロセッサ８１０を備え、
前記プロセッサ８１０はさらに、前記ターゲットサービスに対応するＤＲＸパラメータに基づき間欠受信の方式で前記ターゲットサービスを実行するように構成される。
【０１１５】
好ましくは、一実施例として、前記端末装置８００は、
ネットワーク装置が送信する第１指示情報であって、前記ターゲットサービスに対応するＤＲＸパラメータを指示する第１指示情報を受信するように構成される送受信機８２０をさらに備える。
【０１１６】
前記プロセッサ８１０は具体的には、前記第１指示情報に基づき前記ターゲットサービスに対応するＤＲＸパラメータを確定するように構成される。
【０１１７】
好ましくは、一実施例として、前記第１指示情報は、前記ターゲットサービスに対応するＤＲＸパラメータの事前設定された複数種のＤＲＸパラメータ中におけるインデックスを指示し、
前記プロセッサ８１０は具体的には、前記ターゲットサービスに対応するＤＲＸパラメータの前記事前設定された複数種のＤＲＸパラメータ中におけるインデックスに基づき、前記ターゲットサービスに対応するＤＲＸパラメータを確定するように構成される。
【０１１８】
好ましくは、一実施例として、前記第１指示情報は前記ターゲットサービスに対応するＤＲＸパラメータのパラメータ値を指示し、
前記プロセッサ８１０は具体的には、前記第１指示情報に基づき、前記ターゲットサービスに対応するＤＲＸパラメータのパラメータ値を確定するように構成される。
【０１１９】
好ましくは、一実施例として、前記プロセッサ８１０は具体的には、前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するように構成される。
【０１２０】
好ましくは、一実施例として、前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するＤＲＢのうちの少なくとも１種を含む。
【０１２１】
好ましくは、一実施例として、前記送受信機８２０は、前記ネットワーク装置が送信する第２指示情報であって、前記ターゲットサービスのサービスタイプに用いられる第２指示情報を受信するように構成される。
【０１２２】
好ましくは、一実施例として、前記第２指示情報は、前記ターゲットサービスのサービスタイプの複数種のサービスタイプ中におけるインデックスを指示する。
【０１２３】
好ましくは、一実施例として、前記第１指示情報はＤＣＩ又はＭＡＣ  ＣＥに搬送される。
【０１２４】
好ましくは、一実施例として、前記ＤＲＸパラメータはオンデュレーションタイマー、ＤＲＸインアクティビティタイマー、ＤＲＸ再送タイマー、ロングＤＲＸサイクルオフセット、ショートＤＲＸサイクル及びＤＲＸショートサイクルタイマーのうちの少なくとも１種を含む。
【０１２５】
好ましくは、一実施例として、前記端末装置の実行可能な複数種のサービスに対応するＤＲＸパラメータに、少なくとも１種のパラメータ値が異なるパラメータは存在する。
【０１２６】
図９は本願の実施例に係るネットワーク装置の概略ブロック図である。図９のネットワーク装置９００は、
前記端末装置が事前設定された複数種の間欠受信（ＤＲＸ）パラメータからターゲットサービスに対応するＤＲＸパラメータを確定するための第１指示情報を生成するように構成されるプロセッサ９１０と、
前記端末装置に第１指示情報を送信するように構成される送受信機９２０と、を備える。
【０１２７】
好ましくは、一実施例として、前記第１指示情報は、前記ターゲットサービスに対応するＤＲＸパラメータを指示する。
【０１２８】
好ましくは、一実施例として、前記第１指示情報は、前記ターゲットサービスに対応するＤＲＸパラメータの事前設定された複数種のＤＲＸパラメータ中におけるインデックスを指示する。
【０１２９】
好ましくは、一実施例として、前記第１指示情報は、前記ターゲットサービスに対応するＤＲＸパラメータのパラメータ値を指示する。
【０１３０】
好ましくは、一実施例として、前記第１指示情報は、前記ターゲットサービスに対応するサービスタイプを指示する。
【０１３１】
好ましくは、一実施例として、前記ネットワーク装置が第１指示情報を生成する前、前記プロセッサ９１０は、前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するように構成される。
【０１３２】
好ましくは、一実施例として、前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するＤＲＢのうちの少なくとも１種を含む。
【０１３３】
好ましくは、一実施例として、前記第１指示情報はＤＣＩ又はＭＡＣ  ＣＥに搬送される。
【０１３４】
好ましくは、一実施例として、前記プロセッサ９１０はさらに、前記端末装置に複数種のＤＲＸパラメータを設定するように構成される。
【０１３５】
図１０は本願の実施例に係るシステムチップの概略構造図である。図１０のシステムチップ１０００は入力インタフェース１００１、出力インタフェース１００２、前記プロセッサ１００３及びメモリ１００４を備え、それらがバス１００５によって接続され、前記プロセッサ１００３は前記メモリ１００４におけるコードを実行するように構成される。
【０１３６】
好ましくは、前記コードが実行されると、前記プロセッサ１００３は方法の実施例中の端末装置により実行される方法を実現する。簡潔にするために、ここで重複説明を省略する。
【０１３７】
好ましくは、前記コードが実行されると、前記プロセッサ１００３は方法の実施例中のネットワーク装置により実行される方法を実現する。簡潔にするために、ここで重複説明を省略する。
【０１３８】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は本願の範囲を逸脱せずに、説明された機能を各特定の応用に応じて異なる方法で実現できる。
【０１３９】
当業者であれば、説明の便宜及び簡潔上、上記説明したシステム、装置及びユニットの具体的なプロセスは、上記方法の実施例の対応するプロセスを参照すればよいと理解できるため、ここで詳細説明を省略する。
【０１４０】
本願により提供されるいくつかの実施例では、開示されているシステム、装置及び方法をほかの形態で実現できると理解すべきである。例えば、以上説明された装置の実施例は単に例示的なものであり、例えば、該ユニットの分割は、単に１種のロジック機能分割であり、実際の実装では他の分割方式を採用してもよく、例えば複数のユニット又は要素を他のシステムに結合又は集積し、又はいくつかの特徴を無視したり実行しなかったりしてもよい。また、表示又は検討された相互の結合又は直接結合又は通信接続はいくつかのインタフェース、装置又はユニットを介した間接結合又は通信接続であってもよく、電気的、機械的又はほかの形態としてもよい。
【０１４１】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本実施例の技術案の目的を実現することができる。
【０１４２】
また、本願の実施例の各々における各機能ユニットは１つの処理ユニットに集積されてもよく、別々に物理的に存在してもよく、２つ又は２つ以上のユニットは１つのユニットに集積されてもよい。
【０１４３】
前記機能はソフトウェア機能ユニットの形態で実現され独立した製品として販売又は使用される場合、コンピュータ可読記憶媒体に記憶される。このような理解に基づき、本願の技術案は本質的に又は従来技術に貢献する部分又は該技術案の一部はソフトウェア製品の形態で実施されることができ、該コンピュータソフトウェア製品は記憶媒体に記憶され、コンピュータ装置（パーソナルコンピュータ、サーバ、又はネットワーク装置等）に本願の実施例の各々に係る方法の全て又は一部のステップを実行させるための複数の命令を含む。前記記憶媒体は、Ｕディスク、モバイルディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなどプロクラムコードを記憶可能な種々の媒体を含む。
【０１４４】
以上、本願の具体的な実施形態を説明したが、本願の保護範囲はそれに限定されるものではなく、当業者が本願に開示されている技術範囲を逸脱せずに容易に想到し得る変更や置換はすべて本願の保護範囲に属する。従って、本願の保護範囲は特許請求の範囲の保護範囲に準じるべきである。
【図１】
2020504947.tif 000003
【図２】
2020504947.tif 000004
【図３】
2020504947.tif 000005
【図４】
2020504947.tif 000006
【図５】
2020504947.tif 000007
【図６】
2020504947.tif 000008
【図７】
2020504947.tif 000009
【図８】
2020504947.tif 000010
【図９】
2020504947.tif 000011
【図１０】
2020504947.tif 000012
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
通信方法であって、
端末装置はターゲットサービスに対応する間欠受信（ＤＲＸ）パラメータを確定するステップと、
前記端末装置は前記ターゲットサービスに対応するＤＲＸパラメータに基づき間欠受信の方式で前記ターゲットサービスを実行するステップと、を含むことを特徴とする方法。
【請求項２】
前記端末装置はネットワーク装置が送信する第１指示情報であって、前記ターゲットサービスに対応するＤＲＸパラメータを指示する第１指示情報を受信するステップをさらに含み、
前記端末装置がターゲットサービスに対応するＤＲＸパラメータを確定することは、
前記端末装置が前記第１指示情報に基づき前記ターゲットサービスに対応するＤＲＸパラメータを確定するステップを含むことを特徴とする請求項１に記載の方法。
【請求項３】
前記第１指示情報は、前記ターゲットサービスに対応するＤＲＸパラメータの事前設定された複数種のＤＲＸパラメータ中におけるインデックスを指示し、
前記端末装置が前記第１指示情報に基づき前記ターゲットサービスに対応するＤＲＸパラメータを確定することは、
前記端末は前記ターゲットサービスに対応するＤＲＸパラメータの前記事前設定された複数種のＤＲＸパラメータ中におけるインデックスに基づき、前記ターゲットサービスに対応するＤＲＸパラメータを確定するステップを含むことを特徴とする請求項２に記載の方法。
【請求項４】
前記第１指示情報は前記ターゲットサービスに対応するＤＲＸパラメータのパラメータ値を指示し、
前記端末装置が前記第１指示情報に基づき前記ターゲットサービスに対応するＤＲＸパラメータを確定することは、
前記端末装置が前記第１指示情報に基づき、前記ターゲットサービスに対応するＤＲＸパラメータのパラメータ値を確定するステップを含むことを特徴とする請求項２に記載の方法。
【請求項５】
前記端末装置がターゲットサービスに対応するＤＲＸパラメータを確定することは、
前記端末装置は前記ターゲットサービスのサービスタイプ、及びサービスタイプとＤＲＸパラメータとの対応関係に基づき、事前設定された複数種のＤＲＸパラメータから、前記ターゲットサービスに対応するＤＲＸパラメータを確定するステップを含むことを特徴とする請求項１に記載の方法。
【請求項６】
前記ターゲットサービスのサービスタイプ情報は、前記ターゲットサービスのデータに対応するロジックチャネル識別子又はロジックチャネルグループ識別子、前記ターゲットサービスのデータのサービス品質フロー識別子、及び前記ターゲットサービスのデータを搬送するデータ無線ベアラＤＲＢのうちの少なくとも１種を含むことを特徴とする請求項５に記載の方法。
【請求項７】
前記端末装置は前記ネットワーク装置が送信する第２指示情報であって、前記ターゲットサービスのサービスタイプに用いられる第２指示情報を受信するステップをさらに含むことを特徴とする請求項５又は６に記載の方法。
【請求項８】
前記第２指示情報は、前記ターゲットサービスのサービスタイプの複数種のサービスタイプ中におけるインデックスを指示することを特徴とする請求項７に記載の方法。
【請求項９】
前記第１指示情報はダウンリンク制御情報ＤＣＩ又は媒体アクセス制御層制御要素ＭＡＣ  ＣＥに搬送されることを特徴とする請求項２−４のいずれか一項に記載の方法。
【請求項１０】
前記ＤＲＸパラメータはオンデュレーションタイマー、ＤＲＸインアクティビティタイマー、ＤＲＸ再送タイマー、ロングＤＲＸサイクルオフセット、ショートＤＲＸサイクル及びＤＲＸショートサイクルタイマーのうちの少なくとも１種を含むことを特徴とする請求項１−９のいずれか一項に記載の方法。
【請求項１１】
前記端末装置の実行可能な複数種のサービスに対応するＤＲＸパラメータに、少なくとも１種のパラメータ値が異なるパラメータは存在することを特徴とする請求項１−１０のいずれか一項に記載の方法。
【請求項１２】
前記事前設定された複数種のＤＲＸパラメータは、設定シグナリングによって前記端末装置に前記ネットワーク装置によって設定されたものであることを特徴とする請求項３、５、６、７、８のいずれか一項に記載の方法。
【請求項１３】
前記設定シグナリングは無線リソース制御（ＲＲＣ）シグナリングを含むことを特徴とする請求項１２に記載の方法。
【請求項１４】
端末装置であって、
請求項１−１３のいずれか一項に記載の通信方法を実行するように構成されることを特徴とする端末装置。
【請求項１５】
コンピュータ可読媒体であって、
端末装置のプロセッサに実行される場合、前記端末装置が請求項１−１３のいずれか一項に記載の通信方法を実行する命令が記憶されることを特徴とするコンピュータ可読媒体。
【国際調査報告】
2020504947.tif 000013
2020504947.tif 000014
2020504947.tif 000015
2020504947.tif 000016
2020504947.tif 000017
2020504947.tif 000018